(57)【要約】【課題】トーンやアナウンス等の音声を接続するとき、ネットワークに負荷をかけず、音声接続することを可能にし、更にＰＢＸ自身およびＰＢＸとの通信が停止又は異常となった場合でも、ＬＡＮ電話機に音声によるアナウンスを接続可能にするＬＡＮ電話システムを提供する。【解決手段】ＬＡＮ電話機１０２〜１０４等が配置されるセグメント内に音声サーバ１０１を設置し、ＬＡＮ電話機１０２〜１０４および音声サーバ１０１間の通信にブロードキャストパケットを使用する。そして、同一セグメント内の全ＬＡＮ電話機１０２〜１０４および音声サーバ１０１間のパケットを共有化し、ＬＡＮのパケットの増加を抑えて音声接続を可能にする。【選択図】　　　　図１
2004112651.tif 000002
【特許請求の範囲】
【請求項１】
同一のＬＡＮ（ローカルエリアネットワーク）に設置された複数のＬＡＮ電話機と、該ＬＡＮ電話機を制御するＰＢＸ（構内交換機）とを有するＬＡＮ電話システムにおいて、
前記ＰＢＸから発信音／呼出音／話中音／保留音等のトーンやアナウンスの接続を指示された前記ＬＡＮ電話機は、音声サーバから提供されるトーンやアナウンスの音声パケットから音声を再生することを特徴とするＬＡＮ電話システム。
【請求項２】
前記音声サーバは、前記ＬＡＮ電話機と同一のセグメント（ブロードキャストパケットが到達する範囲）に設置され、前記ＰＢＸが指示するトーンやアナウンスの音声パケットを記憶する記憶手段と、前記音声パケットを前記ＬＡＮに送信する送信手段とを備えることを特徴とする請求項１に記載のＬＡＮ電話システム。
【請求項３】
前記ＬＡＮ電話機は、前記音声サーバに対して音声パケットの送信要求パケットを送信する手段と、前記音声サーバからの音声パケットを受信する手段と、前記音声パケットから音声を再生する手段とを備えることを特徴とする請求項１又は２に記載のＬＡＮ電話システム。
【請求項４】
前記ＬＡＮ電話機は、前記ＰＢＸからトーン又はアナウンスの切断を指示された場合に、前記音声サーバから送信される音声パケットの再生を停止する手段と、前記音声サーバからの音声パケットを破棄する手段とを備えることを特徴とする請求項１、２又は３に記載のＬＡＮ電話システム。
【請求項５】
前記音声サーバは、前記ＬＡＮ電話機からトーンやアナウンスの音声パケットの送信要求パケットを受信すると、予め規定した一定時間、音声パケットを送信し、前記音声パケット送信中に音声パケットの送信要求を受信した場合には、前記音声パケットの送信を予め規定した時間、延長することを特徴とする請求項１乃至４の何れかに記載のＬＡＮ電話システム。
【請求項６】
前記ＬＡＮ電話機から前記音声サーバに送信するトーンやアナウンスの音声パケットの送信要求パケットおよび前記音声サーバから送信される音声パケットは共にブロードキャストパケットで送信されることを特徴とする請求項１乃至５の何れかに記載のＬＡＮ電話システム。
【請求項７】
前記音声サーバに対してトーンやアナウンスの音声パケットの送信要求パケットを送信した前記ＬＡＮ電話機は、他のＬＡＮ電話機から音声パケットの送信要求パケットを予め規定した一定時間監視する手段と、前記一定時間監視後に前記音声パケットの受信を延長したい場合に、監視中に自分が送信要求したのと同じ音声パケットの送信要求パケットを発見できなければ、再度自分から音声パケットの送信要求パケットを送信し、発見できれば、前記音声パケットの送信要求パケットを送信することなく継続して前記音声パケットを受信することを特徴とする請求項１乃至６の何れかに記載のＬＡＮ電話システム。
【請求項８】
前記ＬＡＮ電話機は、前記ＰＢＸから指示されたトーン又はアナウンスの種別を保持する記憶手段と、他のＬＡＮ電話機からの音声パケットの送信要求パケットを監視した結果を保持する記憶手段と、監視時間を保持する記憶手段とを備えることを特徴とする請求項１乃至７の何れかに記載のＬＡＮ電話システム。
【請求項９】
前記音声サーバは、トーンやアナウンスの音声種別毎に送信状態を保持する手段と、前記音声種別毎に音声パケットの送信中に送信要求パケットを受信したことを記憶する手段と、前記音声種別毎に音声パケットを送出する時間を保持する記憶手段とを備えることを特徴とする請求項１乃至８の何れかに記載のＬＡＮ電話システム。
【請求項１０】
前記ＬＡＮ電話機は、前記ＰＢＸ自身又は前記ＰＢＸとの通信の停止又は異常を感知する手段と、前記ＰＢＸ自身又は前記ＰＢＸとの通信の停止又は異常を感知し且つ受話器がオフフックされた場合に、前記音声サーバへ緊急アナウンス用音声パケットの送信要求パケットを送信し、前記音声サーバからの音声パケットを再生することを特徴とする請求項１乃至９の何れかに記載のＬＡＮ電話システム。
【発明の詳細な説明】
【０００１】
【発明の属する技術分野】
本発明はＬＡＮ（Ｌｏｃａｌ　Ａｒｅａ　Ｎｅｔｗｏｒｋ）電話システムに関し、特に電話機を使用する利用者（ユーザ）が、受話器から聞こえる発信音／呼出音／話中音／保留音等のトーンやアナウンス等の交換機からの音声を送出するＬＡＮ電話システムに関する。
【０００２】
【従来の技術】
図１２は、時分割スイッチ（以下、ＴＤＳＷという）を使用する従来のＰＢＸ（構内交換機）におけるトーンおよびアナウンスの送出方式の構成を示すブロック図である。このＰＢＸ２００は、予め指定されるタイムスロット２１０と電話機２１１を接続し、ＣＰＵ（中央処理装置）２０１の制御下で、ＰＢＸ２００内の音源２０９を電話機２１１に対して送出するよう構成している。このＰＢＸ２００は、上述したＣＰＵ２０１、ＴＤＳＷ２０６および音源２０９以外に、メモリ２０２、レジスタ２０３、トランク２０４、ライン回路２０５、ＤＴＧ２０７およびＳＰＭ２０８を有する。
【０００３】
また、電話機にデジタルトーンを設けてトーン送出を実施する方式がある（例えば、特許文献１参照）。即ち、図１３のブロック図に示す如く、この可聴信号音送出方式は、電話機２２０内にデジタル可聴音源（ＴＯＮＥ）２２１、アドレス回路（ＡＤＲ）２２２、制御回路（ＣＯＮＴ）２２３、並直列変換回路（Ｐ／Ｓ）２２４、通信送受信回路（ＶＣＫＴ）２２５、ＰＣＭ符号変復調器（ＣＯＤＥＣ）２２６、挿入回路（ＩＮＳ）２２７およびインタフェース回路（ＩＮＦ）２２８により構成される。ＰＢＸからのトーン送出命令コードにより、デジタル可聴音源２２１から該当するトーン送出のためトーンをＰＣＭ符号化したデータを読み出す。そして、ＰＣＭ変復調器２２６によりアナログ信号に復調され、通信送受信回路２２５により加入者へ音声を送出する。
【０００４】
【特許文献１】
特開昭６０−１４３０５７号公報（第２−３頁、第２図）
【０００５】
更に、ＩＰ（Ｉｎｔｅｒｎｅｔ　Ｐｒｏｔｏｃｏｌ）網内による音声中継における通信処理負荷を軽減する方式についての一例としての音声中継兼多重化装置がある（例えば、特許文献２参照）。この装置では、電話網から入力された音声信号を送信側音声中継兼多重化装置により音声パケットに変換する。そして、宛先の異なる音声パケットを連結して１つのパケットとした上で、複数の音声中継兼多重化装置にＩＰマルチキャスト通信又はＩＰブロードキャストパケット通信を使用して同報送信する。受信側の音声中継兼多重化装置においては、自分宛の音声パケットのみを抽出し、音声に復元して電話網に対して出力する。
【０００６】
【特許文献２】
特開２００１−２４７０３号公報（第４−５頁、図３）
【０００７】
【発明が解決しようとする課題】
上述した従来技術では、次の如き幾つかの課題を有する。第１に、ＰＢＸ内のトーン又はアナウンスの音源をＬＡＮ電話機に対し、ＬＡＮ経由で送信する場合には、同時接続数に制限を設ける必要がある。その理由は、トーンおよびアナウンスの音源を持つＰＢＸとＬＡＮ電話機が、セッションを確立し１対１のユニキャスト通信を行うと、複数のＬＡＮ電話機がＰＢＸと接続するに従い、セッション数、音声パケット数は増大する。従って、ルータでのパケット中継処理およびＰＢＸ側の音声パケット送信処理の負荷が増大するため、どちらかの許容値に合わせる必要があるためである。
【０００８】
第２に、ＰＢＸ内のトーン又はアナウンスの音源をＬＡＮ電話機に対し送信する場合には、ＰＢＸ自身およびＰＢＸとの通信が停止又は異常となった場合に、音声によるアナウンスをＬＡＮ電話機に接続不可能である。その理由は、音源がＰＢＸにあるため、ＰＢＸ自身およびＰＢＸとの通信が停止又は異常となった場合に、他に接続する手段がないためである。
【０００９】
第３に、上述した第１公報に記載の方式では、トーンの変更又はトーン以外の音声に変更される場合には、ＰＢＸ又は電話機側の停止又は関連処理の変更が必要となる。その理由は、トーンを変更するには、電話機のＰＣＭ符号化データの変更が必要であり、また固定的なトーン以外にリアルタイムに流れるラジオミュージック等に変更するには、ＰＢＸ側の処理又は電話機側を停止し、処理の変更が必要となるためである。
【００１０】
第４に、上述した第２公報に開示されている方式では、接続されるＬＡＮネットワーク規模や音声中継兼多重化装置が増加するにつれ、音声中継兼多重化装置の負荷が増大することである。その理由は、ネットワーク上に音声中継兼多重化装置が増加すると、受信側の音声中継兼多重化装置で、自分とは無関係のパケットを受信する確率が高くなり、受信パケットの解析処理による負荷が増加するためである。
【００１１】
【発明の目的】
本発明は、従来技術の上述した課題に鑑みなされたものであり、トーンやアナウンス等の音声を、ネットワークに負荷をかけることなく接続可能にするＬＡＮ電話システムを提供することを目的とする。また、本発明の他の目的は、ＰＢＸが停止したときでも、ＬＡＮ電話機と非常用アナウンスを接続可能にするＬＡＮ電話システムを提供することである。
【００１２】
【課題を解決するための手段】
前述の課題を解決するため、本発明のＬＡＮ電話システムは、次のような特徴的な構成を採用している。
【００１３】
（１）同一のＬＡＮ（ローカルエリアネットワーク）に設置された複数のＬＡＮ電話機と、該ＬＡＮ電話機を制御するＰＢＸ（構内交換機）とを有するＬＡＮ電話システムにおいて、
前記ＰＢＸから発信音／呼出音／話中音／保留音等のトーンやアナウンスの接続を指示された前記ＬＡＮ電話機は、音声サーバから提供されるトーンやアナウンスの音声パケットから音声を再生するＬＡＮ電話システム。
【００１４】
（２）前記音声サーバは、前記ＬＡＮ電話機と同一のセグメント（ブロードキャストパケットが到達する範囲）に設置され、前記ＰＢＸが指示するトーンやアナウンスの音声パケットを記憶する記憶手段と、前記音声パケットを前記ＬＡＮに送信する送信手段とを備える上記（１）に記載のＬＡＮ電話システム。
【００１５】
（３）前記ＬＡＮ電話機は、前記音声サーバに対して音声パケットの送信要求パケットを送信する手段と、前記音声サーバからの音声パケットを受信する手段と、前記音声パケットから音声を再生する手段とを備える上記（１）又は（２）に記載のＬＡＮ電話システム。
【００１６】
（４）前記ＬＡＮ電話機は、前記ＰＢＸからトーン又はアナウンスの切断を指示された場合に、前記音声サーバから送信される音声パケットの再生を停止する手段と、前記音声サーバからの音声パケットを破棄する手段とを備える上記（１）、（２）又は（３）に記載のＬＡＮ電話システム。
【００１７】
（５）前記音声サーバは、前記ＬＡＮ電話機からトーンやアナウンスの音声パケットの送信要求パケットを受信すると、予め規定した一定時間、音声パケットを送信し、前記音声パケット送信中に音声パケットの送信要求を受信した場合には、前記音声パケットの送信を予め規定した時間、延長する上記（１）乃至（４）の何れかに記載のＬＡＮ電話システム。
【００１８】
（６）前記ＬＡＮ電話機から前記音声サーバに送信するトーンやアナウンスの音声パケットの送信要求パケットおよび前記音声サーバから送信される音声パケットは共にブロードキャストパケットで送信される上記（１）乃至（５）の何れかに記載のＬＡＮ電話システム。
【００１９】
（７）前記音声サーバに対してトーンやアナウンスの音声パケットの送信要求パケットを送信した前記ＬＡＮ電話機は、他のＬＡＮ電話機から音声パケットの送信要求パケットを予め規定した一定時間監視する手段と、前記一定時間監視後に前記音声パケットの受信を延長したい場合に、監視中に自分が送信要求したのと同じ音声パケットの送信要求パケットを発見できなければ、再度自分から音声パケットの送信要求パケットを送信し、発見できれば、前記音声パケットの送信要求パケットを送信することなく継続して前記音声パケットを受信する上記（１）乃至（６）の何れかに記載のＬＡＮ電話システム。
【００２０】
（８）前記ＬＡＮ電話機は、前記ＰＢＸから指示されたトーン又はアナウンスの種別を保持する記憶手段と、他のＬＡＮ電話機からの音声パケットの送信要求パケットを監視した結果を保持する記憶手段と、監視時間を保持する記憶手段とを備える上記（１）乃至（７）の何れかに記載のＬＡＮ電話システム。
【００２１】
（９）前記音声サーバは、トーンやアナウンスの音声種別毎に送信状態を保持する手段と、前記音声種別毎に音声パケットの送信中に送信要求パケットを受信したことを記憶する手段と、前記音声種別毎に音声パケットを送出する時間を保持する記憶手段とを備える上記（１）乃至（８）の何れかに記載のＬＡＮ電話システム。
【００２２】
（１０）前記ＬＡＮ電話機は、前記ＰＢＸ自身又は前記ＰＢＸとの通信の停止又は異常を感知する手段と、前記ＰＢＸ自身又は前記ＰＢＸとの通信の停止又は異常を感知し且つ受話器がオフフックされた場合に、前記音声サーバへ緊急アナウンス用音声パケットの送信要求パケットを送信し、前記音声サーバからの音声パケットを再生する上記（１）乃至（９）の何れかに記載のＬＡＮ電話システム。
【００２３】
【発明の実施の形態】
次に、本発明によるＬＡＮ電話システムの好適実施形態の構成および動作を、添付図面を参照して詳細に説明する。
【００２４】
図１は、本発明によるＬＡＮ電話システムの好適実施形態のネットワーク構成図又はシステム構成図である。このＬＡＮ電話システム（又はネットワーク）１０は、それぞれＬＡＮに接続されたＰＢＸ１００、複数の音声サーバ１０１、１２０、１３０、ＬＡＮ電話機である複数の内線１０２、１０３、１０４、１２１、１２２、１２３、１３１、１３２、１３３、複数のルータ１１０、１１１、１１２、複数のゲートウエイ（ＧＷ）１１３、１１４およびインタネット１１５により構成される。ここで、内線１０２〜１０４、１２１〜１２３および１３１〜１３３は、ネットワーク上に分散設置されており、これら内線の配置されるセグメント毎に音声サーバ１０１、１２０および１３０が配置されている。即ち、内線１０２〜１０４に対して音声サーバ１０１が、内線１２１〜１２３に対して音声サーバ１２０が、また内線サーバ１３１〜１３３に対して音声サーバ１３０が配置されている。
【００２５】
次に、図２は、図１に示すＬＡＮ電話システム１０におけるＰＢＸ１００の内部構成を示すブロック図である。このＰＢＸ１００は、ＣＰＵ（中央処理装置）３０１、メモリ３０２およびＬＡＮインタフェース３０３により構成される。ここで、ＣＰＵ３０１は、プログラム制御によりＬＡＮ電話機１０の呼状態を制御する。メモリ３０２は、ＣＰＵ３０１が使用するプログラム等を記憶する。ＬＡＮインタフェース３０３は、内線であるＬＡＮ電話機１０２等と呼制御メッセージを通信する。
【００２６】
次に、図３は、図１に示すＬＡＮ電話システムで使用するＬＡＮ電話機（又は内線）１０２の内部構成を示すブロック図である。尚、他のＬＡＮ電話機１０３〜１０４、１２１〜１２３、１３１〜１３３も実質的に同様構成である。ＬＡＮ電話機１０２は、ＣＰＵ３１１、メモリ３１２、ＬＡＮインタフェース３１３、音声制御回路３１４、スピーカ３１５およびマイク３１６により構成される。
【００２７】
ここで、ＬＡＮインタフェース３１３は、ＰＢＸ１００からの呼制御コマンドの受信および音声パケットの送受信の中継等を行う。ＣＰＵ３１１は、ＬＡＮ電話機１０２内の各部の制御を行う。メモリ３１２は、ＣＰＵ３１１が使用する制御プログラム等を記憶する。音声制御回路３１４は、マイク３１６およびスピーカ３１５を接続し、音声から音声パケットの生成又は音声パケットから音声の再生を行う。
【００２８】
次に、図４は、図１における音声サーバ（例えば、音声サーバ１０１）の内部構成を示すブロック図である。この音声サーバ１０１は、ＣＰＵ３２０、メモリ３２１、ＬＡＮインタフェース３２２、音声制御回路３２３および外部音声インタフェース３２４により構成される。この外部音声インタフェース３２４には、複数の外部音源、即ち第１外部音源３２５および第２外部音源３２６が接続されている。音声制御回路３２３は、外部音源３２５、３２６を介して外部音声インタフェース３２４により音声を取り込み、音声パケットに変換する。メモリ３２１は、変換された音声パケットを一時的に蓄え、ＬＡＮ電話機１０２等の要求によりＬＡＮインタフェース３２２を通じてＬＡＮ電話機へ送信する。ＣＰＵ３２０は、プログラム制御により動作する制御装置であり、音声サーバ１０１の内部の各部を制御する。
【００２９】
次に、図５（Ａ）〜（Ｃ）を参照して各種管理テーブルの具体例を説明する。図５（Ａ）は、ＬＡＮ電話機１０２等が記憶するトーンやアナウンスの「音声パケット受信管理テーブル」を示す。この「音声パケット受信管理テーブル」には、ＬＡＮ電話機１０２を制御するＰＢＸ１００のＩＰアドレスを記憶する「ＰＢＸのＩＰアドレス」、ＬＡＮ電話機１０２等がＰＢＸ１００から指示されたトーン又はアナウンスの種別を記憶する「音声種別」、他ＬＡＮ電話機からの音声パケットの送信要求パケットを発見したことを記憶する「送信要求パケット」、監視する時間を記憶する「監視タイマ」およびＰＢＸから応答がない場合の再送回数を規定する「ＰＢＸへの再送回数」で構成される。「監視タイマ」の初期値は、トーンやアナウンスが途切れることなく送出するため、音声サーバ１０１の音声パケットの送信タイマより十分小さい値が予め規定されている。
【００３０】
図５（Ｂ）は、音声サーバ１０１が記憶するトーンやアナウンスの「音声パケット送信管理テーブル」を示す。この「音声パケット送信管理テーブル」には、「音声種別」、これら音声種別毎に送信状態を示す「状態」、音声パケットの送信中に送信要求パケットを受信したことを記憶する「送信要求パケット」および音声パケットを送出する時間を記憶する「送信タイマ」で構成される。
【００３１】
図５（Ｃ）は、ＰＢＸ１００が使用するＬＡＮ電話機１０２等の「内線状態管理テーブル」を示す。この内線状態管理テーブルは、内線毎にＬＡＮ通信で必要な「ＩＰアドレス」情報および「内線状態」又は通話相手等、呼状態を管理するための情報で構成される。
【００３２】
図１に示すＬＡＮ電話システム１０は、「初期状態」から「使用可能状態」にするために、ＰＢＸ１００に対して立ち上げの通知およびトーンやアナウンスの「音声パケット受信管理テーブル」（図５（Ａ）参照）の初期化を行う必要がある。
【００３３】
次に、図６は、ＬＡＮ電話機である内線１０２が電源をオンしてから使用可能状態となるまでの「内線初期設定シーケンス」である。図６を参照してＬＡＮ電話機１０２の初期設定シーケンスを説明する。ＬＡＮ電話機１０２がリセットされると、ＬＡＮ電話機（内線）１０２の「音声パケット受信管理テーブル」（図５（Ａ）参照）に予め記憶してあるＰＢＸ１００のＩＰアドレスの設定により、ＰＢＸ１００に対し「初期設定要求」を送信する（ステップ４００）。この初期設定要求に対し、ＰＢＸ１００は、ＬＡＮ電話機１０２を使用可能な状態にするために必要な情報として、音声サーバ１０１の接続情報をＬＡＮ電話機１０２に通知する（ステップ４０１）。音声サーバ１０１の接続情報を受信したＬＡＮ電話機１０２は、ＰＢＸ１００から通知された情報に基づき、初期化処理を行うと同時に、「音声パケット受信管理テーブル」の初期化を行う。初期化が終了すると、ＰＢＸ１００に初期設定完了通知を送信する（ステップ４０２）。初期設定完了通知を受信したＰＢＸ１００は、「内線状態管理テーブル」（図５（Ｃ）参照）を「空き状態」とし、内線１０２を「使用可能状態」にする。
【００３４】
次に、ＬＡＮ電話機１０２が音声サーバからトーンやアナウンスの音声パケットを実際に受信する「オフフックから内線通話までの処理」を、図７のシーケンス図を参照して説明する。ＬＡＮ電話機である内線１０２、１０３は、既に初期設定を終了し使用可能状態になっており、各内線の「音声パケット受信管理テーブル」は、図５（Ａ）の状態となっている。この状態において、内線１０２がオフフックすると、内線１０２からＰＢＸ１００に対しオフフックしたこと通知する呼制御パケットを送信する（ステップ４１０）。ＰＢＸ１００は、内線１０２がオフフックしたことを認識すると、内線１０２に対し発信音接続指示の呼制御パケットを送信する（ステップ４１１）。これと同時に、ＰＢＸ１００内のメモリ３０２の「内線状態管理テーブル」（図５（Ｃ）参照）の内線１０２の状態を「発信音送出」に変更する。
【００３５】
上述の如く発信音接続指示の呼制御パケットを受信した内線１０２は、発信音送信要求を音声サーバに対しブロードキャストパケットの送信と同時に、内線１０２の「音声パケット受信管理テーブル」の音声種別に「発信音」と、送信要求パケットに「なし」と、監視タイマに予め規定される初期値をセットし減算を開始する（ステップ４１２）。この発信音送信要求を内線１０２から受信した音声サーバ１０１は、直ちに発信音の音声パケットをブロードキャストパケットで送信すると同時に、「音声パケット送信管理テーブル」（図５（Ｂ）参照）内の発信音の状態に「送信」と、送信要求パケットに「なし」と、送信タイマに予め規定されている初期値をセットし減算を開始する。音声サーバ１０１から発信音の音声パケットを受信した内線１０２は、音声パケットをアナログ信号に変換し受話器より発信音を送信する。
【００３６】
次に、内線１０２が受信タイマを減算し「０」となると、「音声パケット受信管理テーブル」の送信要求パケットを確認する。「なし」の場合には、音声サーバ１０１に対し、「発信音送信要求」を再送信する（ステップ４１３）と同時に、受信タイマに初期値を再設定し減算を開始する。これを内線１０２の状態が変化するまで継続する。
【００３７】
次に、発信音送出中の内線１０２がダイヤルすると、内線１０２は音声パケットの受信を停止し、自分の「音声パケット受信管理テーブル」の音声種別を「なし」にすると同時に、ダイヤルした情報を呼制御パケットでＰＢＸ１００に通知する（ステップ４１４）。ＰＢＸ１００は、内線１０２から送られたダイヤル番号を分析し、被呼内線を内線１０３と判断すると、内線１０３に対しては呼制御パケットでリンギング送出指示を送信し、「内線状態管理テーブル」の内線１０３の状態を「リンギング送出」に変更する（ステップ４１５）。また、内線１０２に対して呼制御パケットにより呼出音の送出を指示し、「内線状態管理テーブル」の内線１０２の状態を「呼出音接続指示」（又は呼出音送出）に変更する（ステップ４１６）。ＰＢＸ１００からの「呼出音接続指示」を受信した内線１０２は、「呼出音送信要求」を音声サーバ１０１へ送信すると同時に、自分の「音声パケット受信管理テーブル」の音声種別に「呼出音」、送信要求パケットに「なし」および監視タイマに予め規定される「初期値」をセットし減算を開始する（ステップ４１７）。
【００３８】
内線１０２から「呼出音送信要求」を受信した音声サーバ１０１は、直ちに呼出音の音声パケットを送信すると同時に、「音声パケット送信管理テーブル」の呼出音の状態に「送信」、送信要求パケットに「なし」および送信タイマに予め規定される「初期値」を設定する。音声サーバ１０１から呼出音の音声パケットを受信した内線１０２は、音声パケットをアナログ信号に変換し、受話器より呼出音を送出する。また、ＰＢＸ１００からリンギング送出の指示を受けた内線１０３は、予め定められた制御に従ってリンギング送出（又は呼出音送出要求）を行う。
【００３９】
次に、内線１０２が受信タイマを減算し「０」となると、「音声パケット受信管理テーブル」の送信要求パケットを確認する。「なし」の場合には、音声サーバ１０１に対し、「発信音送信要求」を再送信する（ステップ４１８）と同時に、受信タイマに初期値を再設定し減算を開始する。これを内線１０２の状態が変化するまで継続する。
【００４０】
次に、内線１０３が応答すると、この内線１０３が応答したことを呼制御パケットでＰＢＸ１００に通知する（ステップ４１９）。内線１０３の応答を認識したＰＢＸ１００は、内線１０２および内線１０３に対して、接続指示を呼制御パケットで通知する。これと同時に、内線状態メモリに内線１０２および内線１０３を「通話」に変更する。ＰＢＸ１００からの接続指示を受信した内線１０２は、これまで受信していた呼出音を停止し（ステップ４２１）、内線１０３との通話状態となる（ステップ４２２）。また、内線１０３は、リンギング送出を停止し（ステップ４２０）、内線１０２と通話状態となる（ステップ４２２）。
【００４１】
次に、図９のフローチャートを参照してＬＡＮ電話機１０２でのトーンやアナウンスの音声パケット受信の継続動作について、図７の呼出音送信要求（ステップ４１７）実行後の動作を例に説明する。呼出音送信要求を送信直後のＬＡＮ電話機１０２の「音声パケット受信管理テーブル」には、音声種別に「呼出音」、送信要求パケットに「なし」および監視タイマに予め規定されている「初期値」が記入されて、音声サーバ１０１からの呼出音の音声パケットが送信されている状態である。
【００４２】
この状態において、受信タイマ値を減算する周期的なプログラムが起動すると、最初に「音声パケット受信管理テーブル」の発信種別が「なし」か否かを判定する（ステップ５００）。音声種別「なし」の状態であれば、プログラムを終了する。それ以外の状態であれば、受信タイマの減算を行う（ステップ５０１）。次に、受信タイマを「０」と比較する（ステップ５０２）。「０」でなければ、プログラムを終了し、「０」であれば、送信要求パケットの判定を行う（ステップ５０３）。判定の結果「なし」であれば、直ちに音声サーバ１０１に対して呼出音送信要求パケットを送信する（ステップ５０４）。送信要求パケットを「なし」に（ステップ５０５）、受信タイマに予め規定される「初期値」に変更する（ステップ５０６）。一方、送信要求パケットが「あり」であれば、送信要求パケットを「なし」にし（ステップ５０５）、受信タイマ値に予め規定される「初期値」を書き込んで終了する（ステップ５０６）。
【００４３】
次に、図１０のフローチャートを参照して、音声サーバ１０１のトーンやアナウンスの音声パケットの送信を延長する動作について、図７の呼出音送信要求（ステップ４１７）受信後の動作例を説明する。呼出音送信要求（ステップ４１７）を受信直後の音声サーバ１０１は、「音声パケット送信管理テーブル」の呼出音の状態に「送信」、送信要求パケットに「なし」および送信タイマに予め規定される「初期値」が記入されており、音声サーバ１０１からの呼出音の音声パケットが送信されている状態である。この状態において、呼出音の送信タイマを減算する周期的なプログラムが起動する。最初に、「音声パケット送信テーブル」の呼出音の状態が判定される（ステップ５１０）。「停止」の状態であれば、プログラムを終了する。一方、「送信」の状態であると、送信タイマの減算を行う（ステップ５１１）。
【００４４】
次に、送信タイマを「０」と比較する（ステップ５１２）。「０」でなければ、プログラムを終了する。一方、「０」であれば、送信要求パケットの受信判定を行う（ステップ５１３）。判定の結果が「あり」であれば、呼出音の音声パケットの送信を継続し、送信要求パケットに「なし」（ステップ５１４）および送信タイマに予め規定されている「初期値」を再設定する（ステップ５１５）。また、送信要求パケットが「なし」であれば、呼出音の音声パケットの送信を停止する（ステップ５１６）。これと同時に、状態を「停止」に変更する（ステップ５１７）。
【００４５】
次に、図８のシーケンス図を参照してＰＢＸ１００が停止した場合の「緊急アナウンス送出動作」について説明する。ＬＡＮ電話機である内線１０２がオフフックすると、内線１０２からＰＢＸ１００に対しオフフックしたことを通知する呼制御パケットを送信する（ステップ４３０）。しかし、ＰＢＸ１００からの応答がない（ステップ４３１）ため、予めＬＡＮ電話機１０２に規定している再送回数（図５（Ａ）参照）又は規定している時間の間、呼制御パケットの再送を繰り返す（ステップ４３２）。
【００４６】
規定を越えてもＰＢＸ１００からの応答がなかった場合には、内線１０２より音声サーバ１０１に対し、緊急アナウンス送信要求をブロードキャストパケットにて送信する（ステップ４３４）。これと同時に、自分の「音声パケット受信管理テーブル」の音声種別に「緊急アナウンス」、送信要求パケットに「なし」および監視タイマに予め規定される「初期値」をセットし減算を開始する。内線１０２からの緊急アナウンス送信要求を受信した音声サーバ１０１は、直ちに緊急アナウンスの音声パケットをブロードキャストパケットにて送信すると同時に、「音声パケット送信管理テーブル」の緊急アナウンスの状態を「送信」、音声要求パケットを「なし」および送信タイマに予め規定される「初期値」をセットし減算を開始する。音声サーバ１０１から緊急アナウンスの音声パケットを受信した内線１０２は、音声パケット１０１をアナログ信号に変換し受話器より「緊急アナウンス」を送信する。
【００４７】
次に、内線１０２が受信タイマを減算し「０」となると、「音声パケット受信管理テーブル」の送信要求パケットを確認する。「なし」の場合には、音声サーバ１０１に対し、「緊急アナウンスの音声パケット送信要求」を再度送信する。これと同時に、音声要求パケットに「なし」および監視タイマに予め規定されている「初期値」を再設定し減算を開始する。これを内線１０２がオンフックするまで継続する（ステップ４３５）。
【００４８】
次に、本発明によるＬＡＮ電話システムの他の（又は第２）実施形態を説明する。図１１は、この第２実施形態のＬＡＮ電話システム２０のネットワーク構成図を示す。このＬＡＮ電話システム２０は、ＰＢＸ６００、音声サーバ６０１、複数の内線（ＬＡＮ電話機）６０２〜６０４、複数のルータ６１０〜６１２およびゲートウエイ（ＧＷ）６２１により構成される。
【００４９】
即ち、図１１に示すＬＡＮ電話システム２０では、１台のＰＢＸ６００、複数のＬＡＮ電話機である内線６０２〜６０４および１台の音声サーバ６０１で構成されている。内線６０２〜６０４は、ネットワーク上に分散しており、音声サーバ６０１はネットワーク上に１台しか配置されていない。図１１の如きシステム構成では、内線６０２〜６０４からのトーンやアナウンスの音声パケット送信要求又は音声サーバ６０１からの音声パケットは、ＩＰマルチキャストによりデータの送受信を行う。ＩＰマルチキャストは、ルータ６１０〜６１２間を越えて同報が可能なプロトコルで、図１に示す第１実施形態のＬＡＮ電話システム１０と同様に、音声パケットおよび音声パケット送信要求を同報することが可能となる。
【００５０】
また、他の実施形態として、バーチャルＬＡＮによる仮想的なＬＡＮを構築することも可能である。バーチャルＬＡＮを構築した場合には、物理的に分かれたセグメントの内線又は音声サーバが、論理的に同一セグメントに存在するように見せることが可能である。この場合には、内線からの音声パケット送信要求又は音声サーバからの音声パケットは、ブロードキャストパケットとして送受信が可能となる。
【００５１】
以上、本発明によるＬＡＮ電話システムの好適実施形態の構成および動作を詳述した。しかし、斯かる実施形態は、本発明の単なる例示に過ぎず、何ら本発明を限定するものではないことに留意されたい。本発明の要旨を逸脱することなく、特定用途に応じて種々の変形変更が可能であること、当業者には容易に理解できよう。
【００５２】
【発明の効果】
以上の説明から理解される如く、本発明のＬＡＮ電話システムによると、次の如き実用上の顕著な効果が得られる。第１に、ＬＡＮトラヒックに負荷を与えないことである。その理由は、音声サーバがＬＡＮ電話機と同一のセグメントに配置されるため、１つのブロードキャストパケットを複数のＬＡＮ電話機で受信することが可能であるためであること、およびブロードキャストパケットはルータを越えることができず基幹ＬＡＮに影響を与えないためである。
【００５３】
第２に、ＰＢＸ自身又はＰＢＸとの通信が停止又は異常が発生し、電話機が制御できない状態であっても、ＬＡＮ電話機と音声アナウンスを接続できることである。その理由は、音声サーバはＰＢＸから独立しているため、ＰＢＸの停止等の影響を受けないこと、ＬＡＮ電話機と音声サーバは同一セグメント内に配置されるため、セグメント外で発生したＬＡＮ障害に影響されることは少ないことおよびＬＡＮ電話機と音声サーバの通信はブロードキャストパケットを用いているため、ＩＰアドレスを知らなくてもパケットの送受信が可能なためである。
【００５４】
第３に、ＬＡＮ電話機の配置されるセグメント毎に、トーンやアナウンスを別にすることが可能である。その理由は、音声サーバの値を変更して影響を受ける範囲は、音声サーバの配置されるセグメント内のＬＡＮ電話機であるため、音声サーバの音声パケットを変更することによりセグメント単位でトーンやアナウンスの変更が可能なためである。
【００５５】
第４に、ＰＢＸ又はＬＡＮ電話機を停止することなく、トーンやアナウンスを変更可能である。その理由は、音声がＰＢＸ又はＬＡＮ電話機とは独立して動作しているため、音声を変更する際にＰＢＸやＬＡＮ電話機を停止する必要がないためである。
【図面の簡単な説明】
【図１】本発明によるＬＡＮ電話システムの第１実施形態のネットワーク構成図である。
【図２】図１に示すＬＡＮ電話システムにおけるＰＢＸの構成を示すブロック図である。
【図３】図１に示すＬＡＮ電話システムにおけるＬＡＮ電話機の構成を示すブロック図である。
【図４】図１に示すＬＡＮ電話システムにおける音声サーバの構成を示すブロック図である。
【図５】図１に示すＬＡＮ電話システムで使用される管理テーブルの具体例を示し、（Ａ）は音声パケット受信管理テーブル、（Ｂ）は音声サーバの音声パケット送信管理テーブルおよび（Ｃ）はＰＢＸの内線状態管理テーブルである。
【図６】図１に示すＬＡＮ電話システムにおける内線初期設定のシーケンス図である。
【図７】図１に示すＬＡＮ電話システムにおけるオフフックから内線通話までのシーケンス図である。
【図８】図１に示すＬＡＮ電話システムにおけるＰＢＸが停止した場合のシーケンス図である。
【図９】図１に示すＬＡＮ電話システムにおけるＬＡＮ電話機・プログラムフロー図である。
【図１０】図１に示すＬＡＮ電話システムにおける音声サーバ・プログラムフロー図である。
【図１１】本発明によるＬＡＮ電話システムの第２実施形態の構成を示すネットワーク構成図である。
【図１２】従来のＰＢＸの構成を示すブロック図である。
【図１３】従来の可聴信号音送出方式の構成を示すブロック図である。
【符号の説明】
１０、２０　ＬＡＮ電話システム
１００　ＰＢＸ
１０１、１２０、１３０、６０１　音声サーバ
１０２、１０３、１０４、１２１、１２２、１２３、１３１、１３２、１３３内線（ＬＡＮ電話機）
１１０、１１１、１１２、６１０、６１１、６１２　ルータ
１１３、１１４、６２１　ゲートウエイ（ＧＷ）
２０１、３０１、３１１、３２０　ＣＰＵ（中央処理装置：プロセッサ）
３０２、３２１、３１２　メモリ
３０３、３１３、３２２　ＬＡＮインタフェース
３１４、３２３　音声制御回路
３２４　外部音声インタフェース
３２５、３２６　外部音源
【図１】
2004112651.tif 000003
【図２】
2004112651.tif 000004
【図３】
2004112651.tif 000005
【図４】
2004112651.tif 000006
【図５】
2004112651.tif 000007
【図６】
2004112651.tif 000008
【図７】
2004112651.tif 000009
【図８】
2004112651.tif 000010
【図９】
2004112651.tif 000011
【図１０】
2004112651.tif 000012
【図１１】
2004112651.tif 000013
【図１２】
2004112651.tif 000014
【図１３】
2004112651.tif 000015